(57)【要約】【課題】内部音声に影響されることなく、電話の呼び出し音等の特定の外部音声のみに基づき、正確に内部音声の出力を自動的にミュートするミュート装置を提供する。【解決手段】外部音声を入力する外部音声入力装置と、内部音声のみを入力する内部音声入力装置とを備え、外部音声入力装置により入力された外部音声から、内部音声入力装置により入力された内部音声成分を除去した音声に基づき、予め設定した特定の種類の外部音声が一定レベル以上である時にのみ、自動的に内部音声をミュートする。【選択図】図３
2007288271.tif 000002
【特許請求の範囲】
【請求項１】
外部から入力された映像信号に基づいて所定の映像を液晶ディスプレイパネルに表示し、視聴する液晶ディスプレイテレビにおいて、
当該液晶ディスプレイテレビは外部音声に基づいて出力する内部音声をミュートするミュート装置を有し、
当該ミュート装置は、
外部音声を入力する外部音声入力装置と、
内部音声のみを入力する内部音声入力装置と、
前記外部音声入力装置で入力された外部音声と、前記内部音声入力装置で入力された内部音声とを比較し、前記外部音声内に前記内部音声が含まれる場合に当該内部音声成分を除去して出力する内部音声マスク手段と、
前記内部音声マスク手段から出力される音声のうち、特定の周波数の音声のみを抽出し出力するバンドパスフィルタ回路と、
前記バンドパスフィルタ回路で抽出する周波数を選択し設定する周波数設定手段と、
前記バンドパスフィルタ回路から出力される音声を入力し、入力レベルが予め設定された基準以上か否かを判別し、基準以上である場合にはオン信号を出力する入力レベル比較手段と、
前記入力レベル比較手段のオン信号を入力し、内部音声の出力を消音、或いは一定レベルに抑制して、ミュートする音声制御手段とを備えて成り、
前記内部音声マスク手段は、前記外部音声入力装置からの外部音声、及び前記内部音声入力装置からの内部音声が入力されると、両音声レベルを合わせた上、前記内部音声の逆位相を生起し、当該逆位相内部音声と前記外部音声とを重畳して前記内部音声のレベルを下げることで前記外部音声から前記内部音声成分を除去し、
前記周波数設定手段は、ＯＳＤにより液晶画面内に、電話呼び出し音、女性の声、男性の声、インターホン呼び出し音、火災報知器警報音、ガス漏れ報知器警報音等のメニューテキストリストを表示し、視聴者に選択させることで前記バンドパスフィルタ回路が抽出する、選択されたメニューに対応する音声周波数帯域を設定し、
前記音声制御手段は、前記内部音声マスク手段により前記内部音声成分が除去された前記外部音声から前記バンドパスフィルタ回路により抽出された、選択されたメニューに対応する周波数帯域の音声レベルが、基準以上の音声レベルである場合に内部音声の出力を自動的にミュートすることで、選択された前記メニューの外部音声の聞き取りを容易化せしめることを特徴とする、液晶ディスプレイテレビ。
【請求項２】
音声の出力を伴う電気電子機器に備えられるミュート装置において、
当該ミュート装置は、
外部音声を入力する外部音声入力装置と、
内部音声のみを入力する内部音声入力装置とを備え、
前記外部音声入力装置により入力された外部音声から、前記内部音声入力装置により入力された内部音声成分を除去した音声に基づき、
予め設定した特定の種類の外部音声がある場合にのみ、自動的に内部音声をミュートすることを特徴とする、ミュート装置。
【請求項３】
音声の出力を伴う電気電子機器に備えられるミュート装置において、
当該ミュート装置は、
外部音声を入力する前記外部音声入力装置と、
内部音声のみを入力する前記内部音声入力装置と、
前記外部音声入力装置で入力された外部音声と、前記内部音声入力装置で入力された内部音声とを比較し、前記外部音声内に前記内部音声が含まれる場合に当該内部音声成分を除去して出力する内部音声マスク手段と、
前記内部音声マスク手段から出力される音声のうち、特定の周波数の音声のみを抽出し出力するバンドパスフィルタ回路と、
前記バンドパスフィルタ回路から出力される音声を入力し、入力レベルが予め設定された基準以上か否かを判別し、基準以上である場合にはオン信号を出力する入力レベル比較手段と、
前記入力レベル比較手段のオン信号を入力し、内部音声の出力をミュートする音声制御手段とを備えて成ることを特徴とする、請求項２に記載のミュート装置。
【請求項４】
音声の出力を伴う電気電子機器に備えられるミュート装置において、
当該ミュート装置は、
外部音声を入力する前記外部音声入力装置と、
内部音声のみを入力する前記内部音声入力装置と、
前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、
前記内部音声マスク手段から出力される音声のうち、特定の周波数の音声のみを抽出し出力する前記バンドパスフィルタ回路と、
前記バンドパスフィルタ回路で抽出する周波数を選択し設定する周波数設定手段と、
前記バンドパスフィルタ回路から出力される音声を入力し、入力レベルが予め設定された基準以上か否かを判別し、基準以上である場合にはオン信号を出力する前記入力レベル比較手段と、
前記入力レベル比較手段のオン信号を入力し、内部音声の出力を消音、或いは一定レベルに抑制して、ミュートする音声制御手段とを備えて成ることを特徴とする、請求項３に記載のミュート装置。
【請求項５】
音声の出力を伴う電気電子機器に備えられるミュート装置において、
当該電気電子機器は液晶ディスプレイテレビであって、
前記ミュート装置は、
外部音声を入力する前記外部音声入力装置と、
内部音声のみを入力する前記内部音声入力装置と、
前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、
前記内部音声マスク手段から出力される音声のうち、特定の周波数の音声のみを抽出し出力する前記バンドパスフィルタ回路と、
前記バンドパスフィルタ回路で抽出する周波数を選択し設定する前記周波数設定手段と、
前記バンドパスフィルタ回路から出力される音声を入力し、入力レベルが予め設定された基準以上か否かを判別し、基準以上である場合にはオン信号を出力する前記入力レベル比較手段と、
前記入力レベル比較手段のオン信号を入力し、内部音声の出力を消音、或いは一定レベルに抑制して、ミュートする音声制御手段とを備えて成り、
前記内部音声マスク手段は、前記外部音声入力装置からの外部音声、及び前記内部音声入力装置からの内部音声が入力されると、両音声レベルを合わせた上、前記内部音声の逆位相を生起し、当該逆位相内部音声と前記外部音声とを重畳して前記内部音声のレベルを下げることで前記外部音声から前記内部音声成分を除去し、
前記周波数設定手段は、ＯＳＤにより液晶画面内に、電話呼び出し音、女性の声、男性の声、インターホン呼び出し音、火災報知器警報音、ガス漏れ報知器警報音等のメニューテキストリストを表示し、視聴者に選択させることで前記バンドパスフィルタ回路が抽出する、選択されたメニューに対応する音声周波数帯域を設定し、
前記音声制御手段は、前記内部音声マスク手段により前記内部音声成分が除去された前記外部音声から前記バンドパスフィルタ回路により抽出された、選択されたメニューに対応する周波数帯域の音声レベルが、基準以上の音声レベルである場合に内部音声の出力を自動的にミュートすることで、選択された前記メニューの外部音声の聞き取りを容易化せしめることを特徴とする、請求項４に記載のミュート装置。
【請求項６】
音声の出力を伴う電気電子機器に備えられるミュート装置において、
当該ミュート装置は、
（１）前記音声制御手段で前記バンドパスフィルタ回路で抽出する周波数帯域のメニューが設定されているか否かが判別し、その結果、設定されている場合にはステップ２へ進む一方、設定されていない場合には判別を繰り返すステップ１と、
（２）電気電子機器がミュートされているか否かを判別し、その結果、既にミュートされている場合には、自動ミュート動作を終了する一方、ミュートされていない場合には、ステップ３に進むステップ２と、
（３）前記内部音声マスク手段で、前記外部音声入力装置で入力した外部音声と、前記内部音声入力装置で入力した内部音声の音声レベルを合わせるステップ３と、
（４）前記内部音声マスク手段で、前記ステップ３で外部音声と音声レベルの合わされた前記内部音声の位相を反転させた逆位相内部音声を生起するステップ４と、
（５）前記ステップ４で生起された前記逆位相内部音声を前記ステップ３の外部音声に重畳して、外部音声内から内部音声を相殺するステップ５と、
（６）前記ステップ５で内部音声成分が除かれた外部音声から、前記バンドパスフィルタ回路で、前記ステップ１で確認したメニューに対応する周波数帯域を抽出するステップ６と、
（７）前記入力レベル比較手段で、前記ステップ６で抽出した周波数帯域の音声レベルが基準以上か否かを判別し、その結果、基準以上である場合にはステップ８に進む一方、基準未満である場合には、前記ステップ３を繰り返すステップ７と、
（８）前記音声制御手段で内部音声をミュートし、自動ミュート動作を終了するステップ８の、
各ステップを有するフローチャートに従い、選択された前記メニューの外部音声の聞き取りを容易化せしめることを特徴とする、請求項４〜５に記載のミュート装置
【請求項７】
音声の出力を伴う電気電子機器に備えられるミュート装置において、
当該ミュート装置は、
外部音声を入力する前記外部音声入力装置と、
内部音声のみを入力する前記内部音声入力装置と、
前記電気電子機器が未だミュートされていない場合に、前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、
前記電気電子機器が未だミュートされていない場合に、前記内部音声マスク手段から出力される音声のうち、特定の周波数の音声のみを抽出し出力する一方、前記電気電子機器が既にミュートされている場合に、前記外部音声入力装置で直接入力された外部音声のうち、特定の周波数の音声のみを抽出し出力する前記バンドパスフィルタ回路と、
前記バンドパスフィルタ回路で抽出する周波数を選択し設定する周波数設定手段と、
前記バンドパスフィルタ回路から出力される音声を入力し、入力レベルが予め設定された基準以上か否かを判別し、基準以上である場合にはオン信号を出力する前記入力レベル比較手段と、
前記電気電子機器が未だミュートされていない場合に、前記入力レベル比較手段のオン信号を入力したら、内部音声の出力を消音、或いは一定レベルに抑制して、ミュートし、前記電気電子機器が既にミュートされている場合に、前記入力レベル比較手段のオン信号を入力したら、引き続き、内部音声の出力を消音、或いは一定レベルに抑制して、ミュートを継続し、同じく前記電気電子機器が既にミュートされている場合に、前記入力レベル比較手段のオン信号が入力されなければ、内部音声の出力を通常状態に復帰させ、ミュートを停止する音声制御手段とを備えて成ることを特徴とする、請求項３に記載のミュート装置。
【請求項８】
音声の出力を伴う電気電子機器に用いられ、外部音声に基づいて出力する内部音声をミュートするミュート方法において、
当該ミュート方法は、
内部音声マスク手段により、外部音声入力装置により入力された外部音声から、内部音声入力装置により入力された内部音声成分を除去した音声に基づき、
バンドパスフィルタ回路により特定の周波数の音声のみを抽出し、
入力レベル比較手段により、抽出した前記音声のレベルが予め設定された基準以上か否かを判別し、基準以上である場合にはオン信号を出力し、
当該オン信号の入力に伴い、音声制御手段により内部音声の出力を自動的にミュートすることを特徴とする、ミュート方法。
【発明の詳細な説明】
【技術分野】
【０００１】
本発明は、電気電子機器が出力する内部音声をミュートするミュート装置、当該ミュート装置を備えた液晶ディスプレイテレビ、及びミュート方法に関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして、生活水準の向上と共に、画面の大型化が進んでいる。しかし、従来より長らく主流となっている、ブラウン管を用いたテレビは、その構造上、奥行き寸法、重量、或いは消費電力といった点で問題を抱え、画面の大型化に限界が来つつあった。
【０００３】
一方、近年になって、電子、半導体、或いは材料技術等の向上により、液晶ディスプレイやプラズマディスプレイといった、ブラウン管とは全く異なる新たな表示デバイスが開発されている。こうした表示デバイスは、従来のブラウン管と比較すると薄型であることから、一般にフラットディスプレイパネルと総称されることが多い。
【０００４】
フラットディスプレイパネルは、テレビ用途向けでは、技術開発の伸展や量産効果と共に低コスト化と大型化が可能となり、ＴＶ放送のデジタル化に伴う買い替え需要や日本の狭い住宅事情とも合致して、従来のブラウン管方式にとって替わり、市場が大きく拡大している。
【０００５】
ところで、上述のフラットディスプレイパネルテレビをはじめとするテレビ受像機においては、視聴時には、当然のことながら音声が出力されているため、その音声レベルによっては、外部の音声が聞き取りにくくなることがあった。
【０００６】
例えば、テレビ受像機の視聴時に、電話がかかってきたような場合、その呼び出し音が聞こえず、電話に出られないことがあったり、或いは、電話に出た後、相手の声が聞き取りにくく、通話がスムーズに行えないといったような問題が生じることがあった。又、こうした電話に関する場合以外にも、人に話しかけられたのに気づかなかったり、会話がスムーズにできなかったり、或いはインターホンの呼び出し音が聞こえなかったり、といった外部の音声が聞き取りにくくなる、種々の問題が生じることがあった。
【０００７】
そこで従来より、テレビ受像機には、上述した電話をする場合のように外部の音声を聞き取る必要がある場合には、ワンタッチ操作で、当該テレビ受像機本体から出力されている内部音声を消音したり、或いは音量を下げることができる、所謂ミュート装置が備えられるようになっていた。これによれば、確かに簡単な操作で内部音声を、外部音声の聞き取りに支障のない状態に容易に設定できる。
【０００８】
しかしながら、この方法では、ミュート操作自体は視聴者自身が判断して行わねばならず、前述したような電話の呼び出し音が聞こえず、電話に出られない、或いはインターホンの呼び出し音が聞こえないといったような、視聴者自身が気づかないような場合には、全く対応できなかった。又、必要時の度にミュート操作を行わねばならず、視聴者にとっては煩雑であった。
【０００９】
そこで、従来、こうしたテレビ受像機のミュート操作の問題を解決する技術として、以下のような従来技術が開示されている。
【００１０】
即ち、特開２００２−１５８９４２号公報（特許文献１）では、電話がかかってきた時に視聴者がテレビのミュート操作を行うと、自動的にその電話の着信音を登録し、以後、電話がかかってくると、自動的にミュートされるようにしている。
【特許文献１】特開平３−２３６１１２号公報
【発明の開示】
【発明が解決しようとする課題】
【００１１】
前記特許文献１の構成によれば、確かに、ミュート操作の煩雑性は解消できる。しかしながら、登録時後の電話の着信音の判別は、集音部で集音した音声に、登録されている電話機の着信音が含まれているか否かで判別している。
【００１２】
この集音部で集音する音声には、テレビ受像機自身が出力する内部音声も含まれることになる。従って、例えば、もし当該内部音声内に、電話機の着信音が含まれている場合には、実際には電話の着信音が無いにもかかわらず、電話の着信があったものと判断し、ミュート操作が自動的に行われてしまうことになっていた。
【００１３】
尚、こうした問題は、テレビ受像機に限ったものではなく、例えばステレオ、或いはラジオ等のテレビ受像機以外の音声出力を伴う電気電子機器においても、同様である。
【００１４】
本発明は、上記問題にかんがみてなされたもので、テレビ受像機等の音声出力を伴う電気電子機器において、自身が出力する内部音声に影響されることなく、電話の呼び出し音等の特定の外部音声のみに基づき、正確に内部音声の出力を自動的にミュートすることで、特定の外部音声の聞き取りを容易化せしめるミュート装置、当該ミュート装置を備えた液晶ディスプレイテレビ、及びミュート方法を提供することを目的とする。
【課題を解決するための手段】
【００１５】
上記問題を解決する為に請求項１に記載の発明は、外部から入力された映像信号に基づいて所定の映像を液晶ディスプレイパネルに表示し、視聴する液晶ディスプレイテレビにおいて、当該液晶ディスプレイテレビは外部音声に基づいて出力する内部音声をミュートするミュート装置を有し、 当該ミュート装置は、外部音声を入力する外部音声入力装置と、内部音声のみを入力する内部音声入力装置と、前記外部音声入力装置で入力された外部音声と、前記内部音声入力装置で入力された内部音声とを比較し、前記外部音声内に前記内部音声が含まれる場合に当該内部音声成分を除去して出力する内部音声マスク手段と、前記内部音声マスク手段から出力される音声のうち、特定の周波数の音声のみを抽出し出力するバンドパスフィルタ回路と、前記バンドパスフィルタ回路で抽出する周波数を選択し設定する周波数設定手段と、前記バンドパスフィルタ回路から出力される音声を入力し、入力レベルが予め設定された基準以上か否かを判別し、基準以上である場合にはオン信号を出力する入力レベル比較手段と、前記入力レベル比較手段のオン信号を入力し、内部音声の出力を消音、或いは一定レベルに抑制して、ミュートする音声制御手段とを備えて成り、前記内部音声マスク手段は、前記外部音声入力装置からの外部音声、及び前記内部音声入力装置からの内部音声が入力されると、両音声レベルを合わせた上、前記内部音声の逆位相を生起し、当該逆位相内部音声と前記外部音声とを重畳して前記内部音声のレベルを下げることで前記外部音声から前記内部音声成分を除去し、前記周波数設定手段は、ＯＳＤにより液晶画面内に、電話呼び出し音、女性の声、男性の声、インターホン呼び出し音、火災報知器警報音、ガス漏れ報知器警報音等のメニューテキストリストを表示し、視聴者に選択させることで前記バンドパスフィルタ回路が抽出する、選択されたメニューに対応する音声周波数帯域を設定し、前記音声制御手段は、前記内部音声マスク手段により前記内部音声成分が除去された前記外部音声から前記バンドパスフィルタ回路により抽出された、選択されたメニューに対応する周波数帯域の音声レベルが、基準以上の音声レベルである場合に内部音声の出力を自動的にミュートすることで、選択された前記メニューの外部音声の聞き取りを容易化せしめる構成としている。
【００１６】
上記のように構成した請求項１に記載の発明によれば、前記液晶ディスプレイテレビは、前記外部音声入力装置で入力された外部音声から前記内部音声入力装置で入力された内部音声が除去され、内部音声の影響が排除された音声内に、前記周波数設定手段で視聴者により予め設定されたメニューに対応する音声周波数帯域が含まれている場合には、内部音声の出力を前記音声制御手段により自動的にミュートし、前記メニューの外部音声の聞き取りを容易化する。
【００１７】
請求項２に記載の発明は、音声の出力を伴う電気電子機器に備えられるミュート装置において、当該ミュート装置は、外部音声を入力する外部音声入力装置と、内部音声のみを入力する内部音声入力装置とを備え、前記外部音声入力装置により入力された外部音声から、前記内部音声入力装置により入力された内部音声成分を除去した音声に基づき、予め設定した特定の種類の外部音声がある場合にのみ、自動的に内部音声をミュートする構成としている。
【００１８】
上記のように構成した請求項２に記載の発明によれば、前記電気電子機器に備えられたミュート装置は、前記外部音声入力装置で入力された外部音声から前記内部音声入力装置で入力された内部音声が除去され、内部音声の影響が排除された音声内に、予め設定した特定の種類の外部音声がある場合には、内部音声の出力を自動的にミュートする。
【発明の効果】
【００１９】
請求項１に記載の発明によれば、前記液晶ディスプレイテレビは、前記外部音声入力装置で入力された外部音声から前記内部音声入力装置で入力された内部音声が除去され、内部音声の影響が排除された音声内に、前記周波数設定手段で視聴者により予め設定されたメニューに対応する音声周波数帯域が含まれている場合には、内部音声の出力を前記音声制御手段により自動的にミュートし、前記メニューの外部音声の聞き取りを容易化する。
【００２０】
よって、前記液晶ディスプレイテレビ自身が出力する内部音声に影響されることなく、正確且つ容易に、視聴者により予め設定されたメニューに対応する外部音声の聞き取りを容易化せしめる液晶ディスプレイテレビを提供できる。
【００２１】
請求項２に記載の発明によれば、前記電気電子機器に備えられたミュート装置は、前記外部音声入力装置で入力された外部音声から前記内部音声入力装置で入力された内部音声が除去され、内部音声の影響が排除された音声内に、予め設定した特定の種類の外部音声がある場合には、内部音声の出力を自動的にミュートする。
【００２２】
よって、前記電気電子機器自身が出力する内部音声に影響されることなく、正確且つ容易に、予め設定した外部音声の聞き取りを容易化せしめるミュート装置を提供できる。
【００２３】
請求項３に記載の発明によれば、前記電気電子機器に備えられたミュート装置は、前記外部音声入力装置で入力された外部音声から前記内部音声入力装置で入力された内部音声が除去され、内部音声の影響が排除された音声内に、特定の周波数の音声が含まれている場合には、内部音声の出力を前記音声制御手段により自動的にミュートする。
【００２４】
よって、前記電気電子機器自身が出力する内部音声に影響されることなく、正確且つ容易に、特定の周波数の外部音声の聞き取りを容易化せしめるミュート装置を提供できる。
【００２５】
請求項４に記載の発明によれば、前記電気電子機器に備えられたミュート装置は、前記外部音声入力装置で入力された外部音声から前記内部音声入力装置で入力された内部音声が除去され、内部音声の影響が排除された音声内に、前記周波数設定手段で設定された周波数が含まれている場合には、内部音声の出力を前記音声制御手段により自動的にミュートする。
【００２６】
よって、内部音声に影響されることなく、正確且つ容易に、予め設定された周波数の外部音声の聞き取りを容易化せしめる液晶ディスプレイテレビを提供できる。
【００２７】
請求項５に記載の発明によれば、請求項１同様、前記液晶ディスプレイテレビは、前記外部音声入力装置で入力された外部音声から前記内部音声入力装置で入力された内部音声が除去され、内部音声の影響が排除された音声内に、前記周波数設定手段で視聴者により予め設定されたメニューに対応する音声周波数帯域が含まれている場合には、内部音声の出力を前記音声制御手段により自動的にミュートし、前記メニューの外部音声の聞き取りを容易化する。
【００２８】
よって、前記液晶ディスプレイテレビ自身が出力する内部音声に影響されることなく、正確且つ容易に、視聴者により予め設定されたメニューに対応する外部音声の聞き取りを容易化せしめる液晶ディスプレイテレビを提供できる。
【００２９】
請求項６に記載の発明によれば、各ステップを有するフローチャートに従いミュート制御を行うことで、請求項４〜５の効果が得られる。
【００３０】
請求項７に記載の発明によれば、請求項４の作用に加え、既にミュートが行われている場合に外部音声の抽出された音声レベルが一定レベルでない場合には、ミュートが自動的に停止される。
【００３１】
よって、既にミュートされている状態で、ミュート動作の継続が不要となった場合には、自動的に内部音声がミュート状態から通常の音声レベルに復帰するので、視聴者は不便無く、容易に視聴を再開することができる。
【００３２】
請求項８に記載の発明によれば、前記電気電子機器に用いられるミュート方法は、前記外部音声入力装置で入力された外部音声から前記内部音声入力装置で入力された内部音声が除去され、内部音声の影響が排除された音声内に、特定の周波数の音声が含まれている場合には、内部音声の出力を前記音声制御手段により自動的にミュートする。
【００３３】
よって、前記電気電子機器自身が出力する内部音声に影響されることなく、正確且つ容易に、特定の周波数の外部音声の聞き取りを容易化せしめるミュート方法を提供できる。
【発明を実施するための最良の形態】
【００３４】
以下、本発明を液晶ディスプレイテレビにおいて具体化した実施例について説明する。
【実施例１】
【００３５】
図１には、本実施例における液晶ディスプレイテレビ１１の概略構成を説明するブロック図を示す。尚、当該液晶ディスプレイテレビ１１について、本願発明と直接関連しない構造については、詳細な説明、及び図示を省略する。
【００３６】
同図において、液晶ディスプレイテレビ１１は、本体の動作を制御する、ミュート装置を構成するコントローラ１１ｂと、図示していないアンテナで受信されるテレビ放送信号から選択されているチャンネルのテレビ放送信号を抽出し、出力するチューナ１１ｄと、該チューナ１１ｄが出力したテレビ放送信号に基く映像を液晶ディスプレイパネル１１ｅに適宜最適な状態で表示させるために制御処理する映像処理部１１ｆと、該チューナ１１ｄが出力したテレビ放送信号に基く内部音声をスピーカ１１ｇから出力する、後述するミュート装置を構成する音声処理部１１ｈと、前記スピーカ１１ｇから出力される内部音声を入力し、前記音声処理部１１ｈに出力する、後述するミュート装置１２を構成する内部音声入力装置としての内部音声マイクロフォン１３ａと、前記液晶ディスプレイテレビ１１の周囲の外部音声を入力し、前記音声処理部１１ｈに出力する、後述するミュート装置１２を構成する外部音声入力装置としての外部音声マイクロフォン１３ｂと、リモコン１１ｃから送信されてきた制御コマンドを受信するリモコン受信部１１ａとを備えている。
【００３７】
前記リモコン１１ｃは、不図示の電源のオン／オフ、チャンネルの切換、音量のアップ／ダウン等の通常行うテレビ各種操作ボタンを備える。前記コントローラ１１ｂは、内部にＯＳＤ１１ｂ２、ＣＰＵ１１ｂ１、ＲＯＭ１１ｂ３、及びＲＡＭ１１ｂ４を有し、リモコン受信部１１ａで受信した制御コマンドに応じて、電源のオン／オフ、チャンネルの切換、音量のアップ／ダウン、及びミュート等のテレビ各種操作機能を制御すると同時に、当該操作のメニューテキスト等を液晶ディスプレイ画面に表示する。尚、液晶ディスプレイテレビ１１の各部には、図示していない電源回路から動作電源が供給されている。この電源回路の入力は、商用電源（例えば、ＡＣ１００Ｖ）である。
【００３８】
図２に、前記液晶ディスプレイテレビ１１が備えるミュート装置１２の概略構成を説明するブロック図を示す。
同図に示すように、前記ミュート装置１２は、前記コントローラ１１ｂ、前記音声処理部１１ｈ、前記内部音声マイクロフォン１３ａと、前記外部音声マイクロフォン１３ｂとから構成されて成る。
【００３９】
即ち、前記内部音声マイクロフォン１３ａは前記スピーカ１１ｇに近接して設けられ、当該スピーカ１１ｇから出力される液晶ディスプレイテレビ自身の内部音声のみが集音される。一方、前記外部音声マイクロフォン１３ｂは例えば液晶ディスプレイテレビ１１のキャビネット前面上部に設けられ、当該液晶ディスプレイテレビ１１の周囲の外部音声が集音される。従って、この外部音声内には、前述した液晶ディスプレイテレビ自身が出力する内部音声も含まれる可能性がある。
【００４０】
前記音声処理部１１ｈは、前記外部音声マイクロフォン１３ｂで入力された外部音声と、前記内部音声マイクロフォン１３ａで入力された内部音声とを比較し、前記外部音声内に前記内部音声が含まれる場合に当該内部音声成分を除去して出力する内部音声マスク手段１４と、前記内部音声マスク手段１４から出力される音声のうち、特定の周波数の音声のみを抽出し出力するバンドパスフィルタ回路１５と、前記バンドパスフィルタ回路１５から出力される音声を入力し、入力レベルが予め設定された基準以上か否かを判別し、基準以上である場合にはオン信号を出力する入力レベル比較手段１６とを有している。
【００４１】
前記コントローラ１１ｂは、前記バンドパスフィルタ回路１５で抽出する周波数を選択し設定する周波数設定手段、及び前記入力レベル比較手段１６のオン信号を入力し、内部音声の出力をミュートする音声制御手段としてのＣＰＵ１１ｂ１とを備えて成る。
【００４２】
前記内部音声マスク手段１４は、前記外部音声マイクロフォン１３ｂからの外部音声、及び前記内部音声マイクロフォン１３ａからの内部音声が入力されると、両音声レベルを合わせた上、前記内部音声の逆位相を生起し、当該逆位相内部音声と前記外部音声とを重畳して相殺し、前記内部音声のレベルを下げることで前記外部音声から前記内部音声成分を除去する。
【００４３】
前記ＣＰＵ１１ｂ１は、前記ＯＳＤ１１ｂ２により液晶画面内に、例えば電話呼び出し音、女性の声、男性の声、インターホン呼び出し音、火災報知器警報音、ガス漏れ報知器警報音等のメニューテキストリストを表示する。そして、視聴者に前記リモコン操作によって当該リストから所望のメニューを１つ、或いは複数選択させることで前記バンドパスフィルタ回路１５が抽出する、選択されたメニューに対応する音声周波数帯域を設定する。
【００４４】
更に、前記ＣＰＵ１１ｂ１は、前記内部音声マスク手段１４により前記内部音声成分が除去された前記外部音声から前記バンドパスフィルタ回路１５により抽出された、選択されたメニューに対応する周波数帯域の音声レベルが、基準以上の音声レベルである場合に入力される前記入力レベル比較手段１６のオン信号を受けて、内部音声の出力を自動的にミュートする。
【００４５】
図３に、上記ミュート装置１２の自動ミュート動作を説明するフローチャートを示す。
【００４６】
同図において、ステップ１（Ｓ１）では、前記ＣＰＵ１１ｂ１で前記バンドパスフィルタ回路１５で抽出する周波数帯域のメニューが設定されているか否かが判別される。その結果、設定されている場合にはステップ２（Ｓ２）へ進む一方、設定されていない場合にはステップ１（Ｓ１）の判別を繰り返す。
【００４７】
ステップ２では、液晶ディスプレイテレビ１１がミュートされているか否かが判別される。その結果、既にミュートされている場合には、自動ミュート動作を終了する一方、ミュートされていない場合には、ステップ３（Ｓ３）に進む。
【００４８】
ステップ３（Ｓ３）では、前記内部音声マスク手段１４で、前記外部音声マイクロフォン１３ｂで入力した外部音声と、前記内部音声マイクロフォン１３ａで入力した内部音声の音声レベルを合わせ、ステップ４（Ｓ４）に進む。
【００４９】
ステップ４（Ｓ４）では、前記内部音声マスク手段１４で、前記ステップ３（Ｓ３）で外部音声と音声レベルの合わされた前記内部音声の位相を反転させた逆位相内部音声を生起し、ステップ５に進む。
【００５０】
ステップ５（Ｓ５）では、ステップ４（Ｓ４）で生起された前記逆位相内部音声をステップ３（Ｓ３）の外部音声に重畳して、外部音声内から内部音声を相殺し、ステップ６（Ｓ６）に進む。
【００５１】
ステップ６（Ｓ６）では、ステップ５（Ｓ５）で内部音声成分が除かれた外部音声から、前記バンドパスフィルタ回路１５で、ステップ１（Ｓ１）で確認したメニューに対応する周波数帯域を抽出し、ステップ７（Ｓ７）に進む。
【００５２】
ステップ７（Ｓ７）では、前記入力レベル比較手段１６で、ステップ６（Ｓ６）で抽出した周波数帯域の音声レベルが基準以上か否かを判別する。その結果、基準以上である場合にはステップ８（Ｓ８）に進む一方、基準未満である場合には、ステップ３（Ｓ３）を繰り返す。
【００５３】
ステップ８（Ｓ８）では、ＣＰＵ１１ｂ１で内部音声をミュートし、自動ミュート動作を終了する。
【００５４】
以上に説明したように、本実施例では、外部音声を入力する外部音声マイクロフォン１３ｂと、内部音声を入力する内部音声マイクロフォン１３ａとを設け、外部音声から内部音声成分を除去した音声に基づいて、自動的にミュートするか否かを判断するようにした。
【００５５】
従って、自身が出力する内部音声に誤動作されることなく、電話の呼び出し音等の特定の外部音声のみに基づき、正確に内部音声の出力を自動的にミュートすることで、特定の外部音声の聞き取りを容易化せしめるミュート装置、及び当該ミュート装置を備えた液晶ディスプレイテレビを提供し得る。
【実施例２】
【００５６】
本実施例では、実施例１で説明した自動ミュート動作の起動のみでなく、当該自動ミュート動作が起動した後の、ミュート動作からの内部音声の自動復帰動作を加えた構成について説明する。
【００５７】
尚、共通の構造については説明を省略する。
【００５８】
図４に、上述したミュート動作からの内部音声の自動復帰動作を加えた、上記ミュート装置の自動ミュート動作を説明するフローチャートを示す。
【００５９】
同図において、ステップ１（Ｓ１）〜ステップ８（Ｓ８）までは、実施例１と同様であるので説明を省略する。上述したステップ８（Ｓ８）において、ＣＰＵ１１ｂ１で内部音声をミュートした後、ステップ９（Ｓ９）に進む。
【００６０】
ステップ９（Ｓ９）では、外部音声から、前記バンドパスフィルタ回路１５で、ステップ６（Ｓ６）同様、メニューに対応する周波数帯域を抽出し、ステップ１０（Ｓ１０）に進む。但し、ここで判断する外部音声は、ステップ６（Ｓ６）の場合とは異なり、内部音声成分を除いた音声ではなく、前記外部音声マイクロフォン１３ｂで入力した外部音声をそのまま用いる。
【００６１】
これは、当該ステップ９（Ｓ９）では、既に内部音声がミュートされた状態となっているため、外部音声マイクロフォン１３ｂで入力した外部音声に、内部音声が含まれる恐れがないためである。
【００６２】
ステップ１０（Ｓ１０）では、前記入力レベル比較手段１６で、ステップ９（Ｓ９）で抽出した周波数帯域の音声レベルが基準以上か否かを判別する。その結果、基準未満となった場合にはステップ１１（Ｓ１１）に進む一方、基準以上である場合には、ステップ９（Ｓ９）を繰り返す。
【００６３】
ステップ１１（Ｓ１１）では、ＣＰＵ１１ｂ１で内部音声のミュート動作を終了し、内部音声を通常のレベルの状態に復帰させ、自動ミュート動作を終了する。
【００６４】
以上に説明したように、本実施例では、実施例１の自動ミュート動作の起動のみでなく、ミュート動作からの自動復帰動作を加えた。従って、自動ミュート動作が起動した後に、通話の終了等、ミュート動作の継続が不要となった場合には、自動的に内部音声がミュート状態から通常の音声レベルに復帰するので、視聴者は不便無く、容易に視聴を再開することができる。しかも、この自動復帰動作の追加は、実施例１に対して新たな部材を何ら追加する必要はなく、単にソフト的な制御の追加のみで対応できるため、コストアップを招くことは無い。
【００６５】
尚、本願発明は各実施例の構成に限定されるものではなく、以下に列記する構成について、適宜変更可能である。
１．各実施例では、ミュート装置を搭載する電気電子機器として、液晶ディスプレイテレビの場合を例に説明したが、これに限定されることはなく、プラズマテレビ、ＣＲＴテレビ等のテレビ受像機、更にはステレオ、或いはラジオといったような音声を出力する各種電気電子機器に適用可能である。
２．各実施例では、内部音声を入力する内部音声入力装置として、内部音声マイクロフォンを用いた場合を例に説明したが、これに限定されることは無く、例えばマイクロフォンを用いず、内部音声信号のスピーカへの出力をそのまま内部音声マスク手段に入力するようにしても良い。
【００６６】
この場合、内部音声マイクロフォンが不要化できるため、コストダウンが図れる上、内部音声の入力精度を向上させることができる。
３．各実施例では、前記周波数設定手段により前記バンドパスフィルタ回路で抽出する周波数を視聴者が予め選択し設定する場合を例に説明したが、これに限定されることはなく、周波数設定手段を省略し、例えば電話の着信音、或いはインターホンの呼び出し音等の何れかに固定してしまうようにしても良い。
【００６７】
この場合、ミュート動作を起動する対象音の自由度は無くなるが、コストダウンを図ることができる。勿論、内部音声の影響を排除する効果も引き続き得られる。
４．更に、前記周波数設定手段により前記バンドパスフィルタ回路で抽出する周波数を視聴者が予め選択し設定する構成ではなく、最初だけ、外部音声入力装置からの入力音を用いて、ミュート動作させる対象音を自動的に登録させるようにしても良い。
５．各実施例では、外部音声から内部音声成分を除去する方法として、内部音声の逆位相を重畳して相殺する構成で説明したが、これに限定されることはなく、外部音声から内部音声成分を除去できれば他の、あらゆる方法が適用可能である。
６．各実施例で説明したミュート動作とは、内部音声を完全に消音する場合は勿論のこと、一定レベルまで減音させる構成をも含む概念である。従って、電話の着信があった場合等に自動的に行うミュート動作においては、内部音声の消音の他、視聴者が聞き取りに支障が無い音声レベルまで減音させるようにしても良い。
７．自動ミュートが起動した後、実施例２のステップ９及びステップ１０で説明した、自動ミュートが必要な外部音声状態が継続しているか否かの判定の結果、一定時間が経過しても自動ミュートが必要な外部音声状態が継続している場合には、電気電子機器（各実施例では液晶ディスプレイテレビ）自体の起動状態が不要であるとみなし、電源をオフにする動作を加えるようにしても良い。この場合、省電力化を図ることができる。
８．各実施例で説明した構成はミュート装置としてのみならず、ミュート方法としても提供可能であるのは言うまでも無い。
【００６８】
以下に請求項３以降の作用について述べる。
【００６９】
請求項３に記載の発明は、音声の出力を伴う電気電子機器に備えられるミュート装置において、当該ミュート装置は、外部音声を入力する前記外部音声入力装置と、内部音声のみを入力する前記内部音声入力装置と、前記外部音声入力装置で入力された外部音声と、前記内部音声入力装置で入力された内部音声とを比較し、前記外部音声内に前記内部音声が含まれる場合に当該内部音声成分を除去して出力する内部音声マスク手段と、前記内部音声マスク手段から出力される音声のうち、特定の周波数の音声のみを抽出し出力するバンドパスフィルタ回路と、前記バンドパスフィルタ回路から出力される音声を入力し、入力レベルが予め設定された基準以上か否かを判別し、基準以上である場合にはオン信号を出力する入力レベル比較手段と、前記入力レベル比較手段のオン信号を入力し、内部音声の出力をミュートする音声制御手段とを備えて成る構成としている。
【００７０】
上記のように構成した請求項３に記載の発明によれば、前記電気電子機器に備えられたミュート装置は、前記外部音声入力装置で入力された外部音声から前記内部音声入力装置で入力された内部音声が除去され、内部音声の影響が排除された音声内に、特定の周波数の音声が含まれている場合には、内部音声の出力を前記音声制御手段により自動的にミュートする。
【００７１】
請求項４に記載の発明は、音声の出力を伴う電気電子機器に備えられるミュート装置において、当該ミュート装置は、外部音声を入力する前記外部音声入力装置と、内部音声のみを入力する前記内部音声入力装置と、前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、前記内部音声マスク手段から出力される音声のうち、特定の周波数の音声のみを抽出し出力する前記バンドパスフィルタ回路と、前記バンドパスフィルタ回路で抽出する周波数を選択し設定する周波数設定手段と、前記バンドパスフィルタ回路から出力される音声を入力し、入力レベルが予め設定された基準以上か否かを判別し、基準以上である場合にはオン信号を出力する前記入力レベル比較手段と、前記入力レベル比較手段のオン信号を入力し、内部音声の出力を消音、或いは一定レベルに抑制して、ミュートする音声制御手段とを備えて成る構成としている。
【００７２】
上記のように構成した請求項４に記載の発明によれば、前記電気電子機器に備えられたミュート装置は、前記外部音声入力装置で入力された外部音声から前記内部音声入力装置で入力された内部音声が除去され、内部音声の影響が排除された音声内に、前記周波数設定手段で設定された周波数が含まれている場合には、内部音声の出力を前記音声制御手段により自動的にミュートする。
【００７３】
請求項５に記載の発明は、音声の出力を伴う電気電子機器に備えられるミュート装置において、当該電気電子機器は液晶ディスプレイテレビであって、前記ミュート装置は、外部音声を入力する前記外部音声入力装置と、内部音声のみを入力する前記内部音声入力装置と、前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、前記内部音声マスク手段から出力される音声のうち、特定の周波数の音声のみを抽出し出力する前記バンドパスフィルタ回路と、前記バンドパスフィルタ回路で抽出する周波数を選択し設定する前記周波数設定手段と、前記バンドパスフィルタ回路から出力される音声を入力し、入力レベルが予め設定された基準以上か否かを判別し、基準以上である場合にはオン信号を出力する前記入力レベル比較手段と、前記入力レベル比較手段のオン信号を入力し、内部音声の出力を消音、或いは一定レベルに抑制して、ミュートする音声制御手段とを備えて成り、前記内部音声マスク手段は、前記外部音声入力装置からの外部音声、及び前記内部音声入力装置からの内部音声が入力されると、両音声レベルを合わせた上、前記内部音声の逆位相を生起し、当該逆位相内部音声と前記外部音声とを重畳して前記内部音声のレベルを下げることで前記外部音声から前記内部音声成分を除去し、前記周波数設定手段は、ＯＳＤにより液晶画面内に、電話呼び出し音、女性の声、男性の声、インターホン呼び出し音、火災報知器警報音、ガス漏れ報知器警報音等のメニューテキストリストを表示し、視聴者に選択させることで前記バンドパスフィルタ回路が抽出する、選択されたメニューに対応する音声周波数帯域を設定し、前記音声制御手段は、前記内部音声マスク手段により前記内部音声成分が除去された前記外部音声から前記バンドパスフィルタ回路により抽出された、選択されたメニューに対応する周波数帯域の音声レベルが、基準以上の音声レベルである場合に内部音声の出力を自動的にミュートすることで、選択された前記メニューの外部音声の聞き取りを容易化せしめる構成としている。
【００７４】
上記のように構成した請求項５に記載の発明によれば、請求項１同様、前記液晶ディスプレイテレビは、前記外部音声入力装置で入力された外部音声から前記内部音声入力装置で入力された内部音声が除去され、内部音声の影響が排除された音声内に、前記周波数設定手段で視聴者により予め設定されたメニューに対応する音声周波数帯域が含まれている場合には、内部音声の出力を前記音声制御手段により自動的にミュートし、前記メニューの外部音声の聞き取りを容易化する。
【００７５】
請求項６に記載の発明は、音声の出力を伴う電気電子機器に備えられるミュート装置において、当該ミュート装置は、（１）前記音声制御手段で前記バンドパスフィルタ回路で抽出する周波数帯域のメニューが設定されているか否かが判別し、その結果、設定されている場合にはステップ２へ進む一方、設定されていない場合には判別を繰り返すステップ１と、（２）電気電子機器がミュートされているか否かを判別し、その結果、既にミュートされている場合には、自動ミュート動作を終了する一方、ミュートされていない場合には、ステップ３に進むステップ２と、（３）前記内部音声マスク手段で、前記外部音声入力装置で入力した外部音声と、前記内部音声入力装置で入力した内部音声の音声レベルを合わせるステップ３と、（４）前記内部音声マスク手段で、前記ステップ３で外部音声と音声レベルの合わされた前記内部音声の位相を反転させた逆位相内部音声を生起するステップ４と、（５）前記ステップ４で生起された前記逆位相内部音声を前記ステップ３の外部音声に重畳して、外部音声内から内部音声を相殺するステップ５と、（６）前記ステップ５で内部音声成分が除かれた外部音声から、前記バンドパスフィルタ回路で、前記ステップ１で確認したメニューに対応する周波数帯域を抽出するステップ６と、（７）前記入力レベル比較手段で、前記ステップ６で抽出した周波数帯域の音声レベルが基準以上か否かを判別し、その結果、基準以上である場合にはステップ８に進む一方、基準未満である場合には、前記ステップ３を繰り返すステップ７と、（８）前記音声制御手段で内部音声をミュートし、自動ミュート動作を終了するステップ８の、各ステップを有するフローチャートに従い、選択された前記メニューの外部音声の聞き取りを容易化せしめる構成としている。
【００７６】
上記のように構成した請求項６に記載の発明によれば、各ステップを有するフローチャートに従いミュート制御を行うことで、請求項４〜５の作用が得られる。
【００７７】
請求項７に記載の発明は、音声の出力を伴う電気電子機器に備えられるミュート装置において、当該ミュート装置は、外部音声を入力する前記外部音声入力装置と、内部音声のみを入力する前記内部音声入力装置と、前記電気電子機器が未だミュートされていない場合に、前記外部音声入力装置で入力された外部音声と、前記内部音声入力装置で入力された内部音声とを比較し、前記外部音声内に前記内部音声が含まれる場合に当該内部音声成分を除去して出力する前記内部音声マスク手段と、前記電気電子機器が未だミュートされていない場合に、前記内部音声マスク手段から出力される音声のうち、特定の周波数の音声のみを抽出し出力する一方、前記電気電子機器が既にミュートされている場合に、前記外部音声入力装置で直接入力された外部音声のうち、特定の周波数の音声のみを抽出し出力する前記バンドパスフィルタ回路と、前記バンドパスフィルタ回路で抽出する周波数を選択し設定する周波数設定手段と、前記バンドパスフィルタ回路から出力される音声を入力し、入力レベルが予め設定された基準以上か否かを判別し、基準以上である場合にはオン信号を出力する前記入力レベル比較手段と、前記電気電子機器が未だミュートされていない場合に、前記入力レベル比較手段のオン信号を入力したら、内部音声の出力を消音、或いは一定レベルに抑制して、ミュートし、前記電気電子機器が既にミュートされている場合に、前記入力レベル比較手段のオン信号を入力したら、引き続き、内部音声の出力を消音、或いは一定レベルに抑制して、ミュートを継続し、同じく前記電気電子機器が既にミュートされている場合に、前記入力レベル比較手段のオン信号が入力されなければ、内部音声の出力を通常状態に復帰させ、ミュートを停止する音声制御手段とを備えて成る構成としている。
【００７８】
上記のように構成した請求項７に記載の発明によれば、請求項４の作用に加え、既にミュートが行われている場合に外部音声の抽出された音声レベルが一定レベルでない場合には、ミュートが自動的に停止される。
【００７９】
請求項８に記載の発明は、音声の出力を伴う電気電子機器に用いられ、外部音声に基づいて出力する内部音声をミュートするミュート方法において、当該ミュート方法は、内部音声マスク手段により、外部音声入力装置により入力された外部音声から、内部音声入力装置により入力された内部音声成分を除去した音声に基づき、バンドパスフィルタ回路により特定の周波数の音声のみを抽出し、入力レベル比較手段により、抽出した前記音声のレベルが予め設定された基準以上か否かを判別し、基準以上である場合にはオン信号を出力し、当該オン信号の入力に伴い、音声制御手段により内部音声の出力を自動的にミュートする構成としている。
【００８０】
上記のように構成した請求項８に記載の発明によれば、前記電気電子機器に用いられるミュート方法は、前記外部音声入力装置で入力された外部音声から前記内部音声入力装置で入力された内部音声が除去され、内部音声の影響が排除された音声内に、特定の周波数の音声が含まれている場合には、内部音声の出力を前記音声制御手段により自動的にミュートする。
【産業上の利用可能性】
【００８１】
テレビ受像機等の音声出力を伴う電気電子機器において、自身が出力する内部音声に影響されることなく、電話の呼び出し音等の特定の外部音声のみに基づき、正確に内部音声の出力を自動的にミュートすることで、特定の外部音声の聞き取りを容易化せしめるミュート装置、当該ミュート装置を備えた液晶ディスプレイテレビ、及びミュート方法を提供する。
【図面の簡単な説明】
【００８２】
【図１】本発明の実施例１を説明するブロック図である。
【図２】本発明の実施例１を説明するブロック図である。
【図３】本発明の実施例１を説明するフローチャートである。
【図４】本発明の実施例２を説明するフローチャートである。
【符号の説明】
【００８３】
１１…液晶ディスプレイテレビ
１１ｂ１…周波数設定手段及び音声制御手段としてのＣＰＵ
１１ｂ２…ＯＳＤ
１１ｅ…液晶ディスプレイパネル
１２…ミュート装置
１３ａ…内部音声入力装置としての内部音声マイクロフォン
１３ｂ…外部音声入力装置としての外部音声マイクロフォン
１４…内部音声マスク手段
１５…バンドパスフィルタ回路
１６…入力レベル比較手段
【図１】
2007288271.tif 000003
【図２】
2007288271.tif 000004
【図３】
2007288271.tif 000005
【図４】
2007288271.tif 000006